(57)【要約】【課題】心のこもった包み袋１を提供する。【解決手段】紙を折って作られた包み袋１であって、袋裏を形成する基部２の上に、袋表の一部を形成する第１折り部３が折り重ねられ、第１折り部３の上に袋表の他の部分を形成する第２折り部４が折り重ねられ、第１折り部３の表面に文字の一部が表され、第２折り部４の表面に当該文字の残部が表されており、第２折り部４は、地色と異なる色彩になった採色部１５，１７を有し、この採色部１５，１７が上記文字の残部の少なくとも一部の線を肉太に表すように折られている。【選択図】    図１
2004315077.tif 000002
【特許請求の範囲】
【請求項１】
紙を折って作られた包み袋であって、
袋裏を形成する基部の上に折り重ねられた、袋表の一部を形成する第１折り部と、
上記第１折り部の上に折り重ねられた、袋表の他の部分を形成する第２折り部とを備え、
上記第１折り部の表面に文字の一部が表され、
上記第２折り部の表面に上記文字の一部に組み合わせる当該文字の残部が表されており、
上記第２折り部は、地色と異なる色彩になった採色部を有し、この採色部の少なくとも一部が上記文字の残部の少なくとも一部を形成するように折られていることを特徴とする包み袋。
【請求項２】
長方形の紙の一方の長辺寄りの位置に、この長辺と平行に全長にわたる折り目が設けられて、この長辺側折り片が中央側に折り重ねられており、
上記折り重ねられた用紙の一方の短辺寄りの位置に、この短辺と平行に全幅にわたる折り目が設けられて、その短辺側部分が中央側部分に対して上記長辺側折り片側が谷折りとなるように折り重ねられる第１折り部とされ、
上記折り重ねられた用紙の他方の短辺寄りの位置に、この短辺と平行に全幅にわたる折れ目が設けられて、その短辺側部分が上記第１折り部の上に折り重ねられる第２折り部とされ、
上記第１折り部の上記中央側部分に折り重ねられたときに表になる面に、文字の一部を構成する第１文字構成部が表されており、
上記第２折り部の表裏の少なくとも一方の面には、地色と異なる色彩が付けられた採色部が設けられており、
上記第２折り部は、上記第１折り部に折り重ねられたときに表になる面に、上記文字の残部を構成する第２文字構成部が表されており、且つ上記採色部の少なくとも一部が上記文字の残部の少なくとも一部を構成するように折られており、
上記第１折り部が上記中央側部分に折り重ねられ、
上記第２折り部が上記第１折り部の上に折り重ねられて、この第１折り部の第１文字構成部と第２折り部の第２文字構成部とが上記文字を形成するように組み合わされ、
上記中央側部分、第１折り部及び第２折り部の三者は、上記長辺側折り片とは反対側の端部が共に当該包み袋の裏側に折られていることを特徴とする包み袋。
【発明の詳細な説明】
【発明の属する技術分野】
この発明はポチ袋等の包み袋に関する。
【従来の技術】
紙を折り畳んでポチ袋を作り、その表面に金属光沢塗料で模様や家紋等を表現することは知られている（特許文献１参照）。また、折り畳んで作るポチ袋の内面にメッセージを書き込む欄を設けることも一般に知られている。
【特許文献１】
特開平５−４２９７４号公報
【発明が解決しようとする課題】
従来のポチ袋は中にお金を入れる袋にすぎず、受け取った人の多くは中に入っているお金以外、つまり袋自体は捨ててしまうことがほとんどである。それは、渡す側の思いがその袋自体からは感じ取りにくいものであるからだと考えられる。また渡す側も、ポチ袋がお金をいれる袋であるがゆえに「心を包む」ということを忘れがちになっていると考えられる。ポチ袋は本来、お金を包む袋である以前に心を包む袋であるはずである。
本発明の課題は、ポチ袋等の包み袋本来の趣旨を忘れかけている多くの人々に、包み袋は祝う気持ちや感謝の気持ち、相手を思いやる気持ちを表す袋であるということを改めて感じてもらうことを目的とする。
【課題を解決するための手段】
本発明は、このような課題に対して、紙を折って作られるポチ袋等の包み袋において、送る相手にふさわしい文字を袋表面に表すことができるようにし、その文字を紙の折重ねによって表すようにし、しかも、その文字をアクセントのある装飾的な文字にすることができるようにした。
すなわち、請求項１に係る発明は、紙を折って作られた包み袋であって、
袋裏を形成する基部の上に折り重ねられた、袋表の一部を形成する第１折り部と、
上記第１折り部の上に折り重ねられた、袋表の他の部分を形成する第２折り部とを備え、
上記第１折り部の表面に文字の一部が表され、
上記第２折り部の表面に上記文字の一部に組み合わせる当該文字の残部が表されており、
上記第２折り部は、地色と異なる色彩になった採色部を有し、この採色部の少なくとも一部が上記文字の残部の少なくとも一部を形成するように折られていることを特徴とする。
本発明によれば、第１折り部と第２折り部との折り重ねによって両折り部の文字部分が組み合わされて文字ができあがり、しかも、第２折り部の文字部分はその少なくとも一部が採色部によって構成されているから、包み袋を受け取る人に渡す人の心のこもった工夫ないしは心遣いを感じてもらうことができ、さらに、採色部がアクセントの働きをして、包み袋を受け取る人に斬新な強い印象を与えることができる。
従って、相手のことを考え、包み袋の目的に応じた文字を選び、「折り」によって表現されたその文字に思いを託すものとして包み袋を利用することができ、包み袋の「心を包む」働きをより顕著なものにすることができる。
請求項２に係る発明は、長方形の紙の一方の長辺寄りの位置に、この長辺と平行に全長にわたる折り目が設けられて、この長辺側折り片が中央側に折り重ねられており、
上記折り重ねられた用紙の一方の短辺寄りの位置に、この短辺と平行に全幅にわたる折り目が設けられて、その短辺側部分が中央側部分に対して上記長辺側折り片側が谷折りとなるように折り重ねられる第１折り部とされ、
上記折り重ねられた用紙の他方の短辺寄りの位置に、この短辺と平行に全幅にわたる折れ目が設けられて、その短辺側部分が上記第１折り部の上に折り重ねられる第２折り部とされ、
上記第１折り部の上記中央側部分に折り重ねられたときに表になる面に、文字の一部を構成する第１文字構成部が表されており、
上記第２折り部の表裏の少なくとも一方の面には、地色と異なる色彩が付けられた採色部が設けられており、
上記第２折り部は、上記第１折り部に折り重ねられたときに表になる面に、上記文字の残部を構成する第２文字構成部が表されており、且つ上記採色部の少なくとも一部が上記文字の残部の少なくとも一部を構成するように折られており、
上記第１折り部が上記中央側部分に折り重ねられ、
上記第２折り部が上記第１折り部の上に折り重ねられて、この第１折り部の第１文字構成部と第２折り部の第２文字構成部とが上記文字を形成するように組み合わされ、
上記中央側部分、第１折り部及び第２折り部の三者は、上記長辺側折り片とは反対側の端部が共に当該包み袋の裏側に折られていることを特徴とする包み袋である。
従って、本発明によれば、請求項１に係る発明と同様の作用効果が得られるとともに、１枚の長方形の紙から当該包み袋を簡単に作ることができる、という効果が得られる。
【発明の実施の形態】
以下、本発明の実施の形態を図面に基づいて説明する。
＜実施形態１＞
図１（斜視図）及び図２（Ａは袋表、Ｂは袋裏）に本発明に係る包み袋１を示す。この包み袋１において、２は袋裏を形成する基部、３は基部２の上に折り重ねられた、袋表の一部を形成する第１折り部、４は第１折り部３の上に折り重ねられた、袋表面の他の部分を形成する第２折り部、５は袋上端に続く裏折り部、６は包み袋１に包む物（お金、カード、写真、手紙等）を抜け落ちないように受ける、袋内側に折り込んだ内折り部である。この包み袋１では、友達に渡すことに適するように、袋表に「友」の文字が表されている。
第１折り部３には、「友」の文字の第１画「一」の右側部分、第３画「フ」、並びに第４画「＼」が表されている。これらは第１文字構成部である。第２折り部４には、「友」の文字の第１画「一」の左側残部、並びに第２画「ノ」が表されている。これらは第２文字構成部である。
そうして、第１折り部３と第２折り部４との折り重ねによって「友」の文字が完成されている。第２画「ノ」の上部は、第２折り部４に設けられた地色と異なる採色部１５，１７を折ることにより、この採色部１５，１７の一部によって肉太に形成され、第２画「ノ」の下部は、「友」の他の部分と同じ太さの線で表されている。
次に包み袋１を得るための折り紙について説明する。この包み袋１は図３に示す１枚の長方形折り紙１０から作られる。図３（Ａ）は包み袋１の外側になる面を示し、図３（Ｂ）は包み袋１の内側になる面を示す。
折り紙１０の一方の短辺寄りの位置には、上記第１折り部３を得るための第１縦折り目１１が短辺と平行に全幅にわたって設けられている。折り紙１０の他方の短辺寄りの位置には、上記第２折り部４を得るための第２縦折り目１２が短辺と平行に全幅にわたって設けられている。この実施形態では、縦折り目１１，１２は折り紙１０を横に三等分する位置に設けられている。
また、折り紙１０の一方（上側）の長辺寄りの位置には、上記裏折り部５を得るための横折り目１３が長辺と平行に全長にわたって設けられている。折り紙１０の他方（下側）の長辺寄りの位置には、上記内折り部６を得るための折り目１４が長辺と平行に全長にわたって設けられている。
図３（Ａ）に示すように、折り紙１０の外側面には、第１折り部３の上下の横折り目１３，１４に挟まれた部位に、「友」の文字の第１画「一」の右側部分と、第３画「フ」、並びに第４画「＼」が表されている。第２折り部４の上下の横折り目１３，１４に挟まれた部位には、「友」の文字の第１画「一」の左側残部と、第２画の「ノ」の下部とが表されているとともに、第２画の「ノ」の上部を形成するための採色部１５設けられている。採色部１５は、第２画の「ノ」の下部の延長線を斜辺とする略直角二等辺三角形状に形成されている。
図３（Ｂ）に示すように、折り紙１０の内側面の縦折り目１１，１２と横折り目１３，１４で区画された中央部にはメッセージ欄１６が設けられている。また、折り紙１０の第２折り部４の内側面の上隅には採色部１７が設けられている。採色部１７は縦長の長方形状に形成されている。
次に上記折り紙１０の折り方を説明する。
▲１▼  図４（Ａ）に示すように折り紙１０を内側面が表になるようにした状態から、図４（Ｂ）に示すように、内折り部６を横折り目１４が谷折りになるように主で側（上方）に折る。
▲２▼  図４（Ｃ）に示すように、第１折り部３を第１折り目１１が谷折りになるように中央側部分（メッセージ欄１６を有する部分）に折り重ねる。
▲３▼  図４（Ｃ）に示すように、第２折り部４に短辺より第２折り目１２と横折り目１４との交点に至る斜めの谷折り目１８を設けて、この第２折り部４の下側三角部を図４（Ｄ）に示すように表側に折り、採色部１５の一部が表に出るようにする。
▲４▼  図４（Ｅ）に示すように、第２折り部４を第２折り目１２が谷折りになるように表側に折って第１折り部３に重ねる。
▲５▼  図４（Ｅ）に示すように、第２折り部４の上端の短辺近傍より、折り紙１０の外側面の採色部１５と第２画の「ノ」の下部との境目に至る谷折り目１９を設ける。そうして、図４（Ｆ）に示すように、第２折り部４の短辺側部分を折り返し、採色部１５，１７が第２画の「ノ」の肉太の上部を形成するようにする。
この場合、採色部１５，１７が第２折り部４の端になって第１折り部３の上に重なるように折られていることになる。
▲６▼  図４（Ｇ）に示すように、上側の横折り目１３が山折りとなるように、その上側部分を裏側に折って裏折り部５を形成し、図４（Ｈ）に示す完成された包み袋１を得る。
メッセージ欄１６には、例えば「○○ちゃんへ  今までありがとう。これからもずっと友達でいようね。  □□より」というようなメッセージを書く。
＜実施形態２＞
図５（Ａは袋表、Ｂは袋裏）に示すように、本実施形態の包み袋１は、袋表に「寿」の文字が表されたものであり、「長寿のお祝い」に適したものである。なお、図面の符号に関しては、実施形態１と同じ要素には同じ符号を付けて説明を簡略にする。
第１折り部３に「寿」の第４画「ノ」を除く右側部分（第１文字構成部）が表され、第２折り部４に「寿」の第４画「ノ」を含む左側部分（第２文字構成部）が表されている。第４画「ノ」は後述する採色部１５，１７によって肉太に表されている。
包み袋１は図６に示す１枚の長方形折り紙１０から作られる。図６（Ａ）は外側面を示し、図６（Ｂ）は内側面を示す。実施形態１と同様に縦折り目１１，１２及び横折り目１３，１４が設けられている。但し、第２折り部４は第１折り部３よりも幅狭になっている。
図６（Ａ）に示すように第１折り部３の外側面に第１文字構成部が表され、第２折り部４の外側面に第２文字構成部が表されている。第２折り部４の外側面には「寿」の第１画〜第３画となる横三本線の下側位置に、第２文字構成部の一部となる台形状の採色部１５が設けられ、図６（Ｂ）に示すように、第２折り部４の内側面の上部位置に第２文字構成部の一部となる三角形状の採色部１７が設けられている。
次に折り紙１０の折り方を説明する。
▲１▼  図７（Ａ）に示すように折り紙１０を内側面が表になるようにした状態から、図７（Ｂ）に示すように、内折り部６を横折り目１４が谷折りになるように表側に折る。
▲２▼  図７（Ｂ）に示すように、内折り部６の第２折り部４側の端に、長辺側から横折り目１４の端に至る斜めの谷折り目２１を設けてその上側の三角部分を図７（Ｃ）に示すように折り返す。
▲３▼  図７（Ｃ）に示すように、上記谷折り目２１に交差して短辺側から横折り目１４に至る斜めの谷折り目２２を設けて、図７（Ｄ）に示すように、採色部１５の一部が現れるように上側に折る。
▲４▼  図７（Ｅ）に示すように、第１折り部３を第１折り目１１が谷折りになるように中央側部分に折り重ねる。
▲５▼  図７（Ｆ）に示すように、第２折り部４を第２折り目１２が谷折りになるように中央側に折って第１折り部３に重ねる。
▲６▼  図７（Ｆ）に示すように、第２折り部４に短辺上部より第２折り目１２の下端に至る斜めの谷折り目２３を設けて、その右下側部分を図７（Ｇ）に示すように折り返し、採色部１５，１７によって第４画の肉太な「ノ」を形成する。
▲７▼  図７（Ｇ）に示すように、上側の横折り目１３が山折りとなるように、その上側部分を裏側に折って裏折り部５を形成し、図７（Ｈ）に示す完成された包み袋１を得る。
メッセージ欄１６には、例えば「○○おばあちゃんへ  長寿のお祝い！  これからもずっと元気で長生きしてね。  □□より」というようなメッセージを書く。
＜実施形態３＞
図８（Ａは袋表、Ｂは袋裏）に示すように、本実施形態の包み袋１は、袋表に「祈」の文字が表されたものであり、「お見舞い」に適したものである。なお、図面の符号に関しては、実施形態１と同じ要素には同じ符号を付けて説明を簡略にする。
第１折り部３に「祈」の「斤」及び「ネ」の一部（第１文字構成部）が表され、第２折り部４に「ネ」の残部（第１画及び第２画であり、第２文字構成部である。）が表されている。第２画「フ」は後述する採色部１５によって肉太に表されている。
包み袋１は図９に示す１枚の長方形折り紙１０から作られる。図９（Ａ）は外側面を示し、図９（Ｂ）は内側面を示す。実施形態１と同様に縦折り目１１，１２及び横折り目１３，１４が設けられている。縦折り目１１，１２は折り紙１０を横に三等分する位置に設けられている。
図９（Ａ）に示すように第１折り部３の外側面に第１文字構成部が表され、第２折り部４の外側面に第２文字構成部のための採色部１５が設けられている。また、図９（Ｂ）に示すように、第２折り部４の内側面の上部に「祈」の第１画が表されている。
次に折り紙１０の折り方を説明する。
▲１▼  図１０（Ａ）に示すように折り紙１０を内側面が表になるようにした状態から、図１０（Ｂ）に示すように、内折り部６を横折り目１４が谷折りになるように表側に折る。
▲２▼  図１０（Ｃ）に示すように、第１折り部３を第１折り目１１が谷折りになるように中央側部分に折り重ねる。
▲３▼  図１０（Ｃ）に示すように、第２折り部４の短辺中間部から第２折り目１２と内折り目１４との交点に至る斜めの谷折り目２５を設けて、その下側の三角部分を図１０（Ｄ）に示すように表側に折り、採色部１５の一部を表に出す。
▲４▼  図１０（Ｅ）に示すように、第２折り部４を第２折り目１２が谷折りになるように中央側に折って第１折り部３に重ねる。
▲５▼  図１０（Ｅ）に示すように、第２折り部４に長辺側から谷折り目２５に至る縦方向の谷折り目２６を設けて、図１０（Ｆ）に示すように折り返す。
▲６▼  図１０（Ｆ）に示すように、さらに縦方向の谷折り目２６の上部から、第２縦折り目１２と下側の横折り目１４との交点に至る斜めの谷折り目２７を設けて、その右下側部分を図１０（Ｇ）に示すように表側に折って、採色部１５により、第２画の肉太な「フ」を形成する。
▲７▼  図１０（Ｇ）に示すように、上側の横折り目１３が山折りとなるように、その上側部分を裏側に折って裏折り部５を形成し、図１０（Ｈ）に示す完成された包み袋１を得る。
メッセージ欄１６には、例えば「○○さんへ  一日も早くよくなることを心から祈っています。また一緒に遊びに行こうね。  □□より」というようなメッセージを書く。
なお、線や点で表現する文字構成部分と、採色部で表現する文字構成部分とは同じ色彩（黒及び白を含む）であっても、相異なる色彩であってもよい。
また、以上では、袋表に表す文字として３例を示したが、本発明はこれに限られるものでなく、適宜の文字を採用することができることはもちろんである。また、漢字以外の他の文字ひいては記号を袋表に現すようにしてもよく、さらに、文字数ないしは記号数は問わない。
【発明の効果】
以上のように、本発明に係る包み袋によれば、折り紙による「折り」によって表現された文字に思いを託し、相手に渡すことができ、受け取った人に、お金では買えない「人の心」が伝わり、袋自体から渡す側の心遣いが感じられ、それと同時に例えば金額の大小ではない気持ちの大きさを感じられるだろう効果が得られる。
【図面の簡単な説明】
【図１】本発明の実施形態１に係る包み袋の斜視図。
【図２】（Ａ）は実施形態１の包み袋の表を示す正面図。（Ｂ）はその裏を示す背面図。
【図３】（Ａ）は実施形態１の包み袋を得るための折り紙の外側面を示す図。（Ｂ）はその内側面を示す図。
【図４】実施形態１の包み袋を得るための折り紙の折り方を示す説明図。
【図５】（Ａ）は実施形態２の包み袋の表を示す正面図。（Ｂ）はその裏を示す背面図。
【図６】（Ａ）は実施形態２の包み袋を得るための折り紙の外側面を示す図。（Ｂ）はその内側面を示す図。
【図７】実施形態２の包み袋を得るための折り紙の折り方を示す説明図。
【図８】（Ａ）は実施形態３の包み袋の表を示す正面図。（Ｂ）はその裏を示す背面図。
【図９】（Ａ）は実施形態３の包み袋を得るための折り紙の外側面を示す図。（Ｂ）はその内側面を示す図。
【図１０】実施形態３の包み袋を得るための折り紙の折り方を示す説明図。
【符号の説明】
１  包み袋
２  基部
３  第１折り部
４  第２折り部
５  裏折り部
６  内折り部
１０  折り紙
１１  第１縦折り目
１２  第２縦折り目
１３，１４  横折り目
１５，１７  採色部
１６  メッセージ欄
【図１】
2004315077.tif 000003
【図２】
2004315077.tif 000004
【図３】
2004315077.tif 000005
【図４】
2004315077.tif 000006
【図５】
2004315077.tif 000007
【図６】
2004315077.tif 000008
【図７】
2004315077.tif 000009
【図８】
2004315077.tif 000010
【図９】
2004315077.tif 000011
【図１０】
2004315077.tif 000012